(57)【要約】  接続の遅延や切断を防止する。  無線基地局装置（１）は、ランダムアクセス信号の送信を許容する送信領域情報を報知する報知部（４）を備えている。従って、この送信領域は、無線基地局装置（１）のエリア内に存在する移動局装置に対して全体的に報知される。言い換えると、ハンドオーバを行う状態にない移動局装置も、ハンドオーバを行う移動局装置もこの（報知情報）送信領域情報を受信し、この無線基地局装置（１）に対してランダムアクセス信号を送信する際の送信領域として用いることができる。また、この無線基地局装置（１）は、ハンドオーバを行う移動局装置（２）に対して、ハンドオーバ先の無線基地局装置（１）の報知部（４）により報知される第１の送信領域とは異なる第２の送信領域を通知する通知部（３）をも有している。
2009022393.tif 000002
【特許請求の範囲】
【請求項１】
無線基地局装置において、
ハンドオーバを行う無線移動局装置に対して、該ハンドオーバの先で、ランダムアクセス信号の送信領域として報知される該第１の送信領域とは異なる、第２の送信領域をランダムアクセス信号の送信領域として通知する通知部、
を備えることを特徴とする無線基地局装置。
【請求項２】
前記通知部は、前記第２の送信領域を前記第１の送信領域とともに通知することを特徴とする請求の範囲第１項記載の無線基地局装置。
【請求項３】
前記第１の送信領域および前記第２の送信領域は、それぞれ前記無線移動局装置を識別するチャネルにより規定された領域であることを特徴とする請求の範囲第１項記載の無線基地局装置。
【請求項４】
前記第２の送信領域を避けてデータ割り当て制御を行うスケジューラをさらに備えることを特徴とする請求の範囲第１項記載の無線基地局装置。
【請求項５】
前記第１の送信領域が不足するか否かを判断する判断部をさらに備え、前記通知部は、前記判断部の判断結果に応じて前記第２の送信領域を通知することを特徴とする請求の範囲第１項記載の無線基地局装置。
【請求項６】
所定数以上のハンドオーバが同時に発生することを予測する予測部をさらに備え、前記通知部は、前記予測部の予測結果に応じて前記第２の送信領域を通知することを特徴とする請求の範囲第１項記載の無線基地局装置。
【請求項７】
無線基地局装置において、
ハンドオーバを行う無線移動局装置の情報を該無線移動局装置のハンドオーバ元の無線基地局装置から受信する受信部と、
ランダムアクセス信号の送信領域として報知する第１の送信領域とは異なる、第２の送信領域を前記ハンドオーバ元の無線基地局装置を介して前記無線移動局装置に通知する通知部と、
を備えることを特徴とする無線基地局装置。
【請求項８】
ランダムアクセス信号の送信を行う無線移動局装置において、
ハンドオーバ先の無線基地局装置が報知する第１の送信領域とは異なる第２の送信領域の通知をハンドオーバの際に受信する受信部と、
通知された該第２の送信領域を用いてランダムアクセス信号の送信を行う送信部と、
を備えることを特徴とする無線移動局装置。
【請求項９】
ランダムアクセス信号の送信制御方法において、
ハンドオーバを行う無線移動局装置に対して、ハンドオーバ先でランダムアクセス信号の送信領域として報知される第１の送信領域とは異なる、第２の送信領域を通知し、
該無線移動局装置が該第２の送信領域を用いて送信したランダムアクセス信号を受信する、
ことを特徴とするランダムアクセス信号の送信制御方法。
【発明の詳細な説明】
【技術分野】
【０００１】
本発明は無線基地局装置、無線移動局装置およびランダムアクセス信号の送信制御方法に関する。
【背景技術】
【０００２】
携帯電話等の移動局と、基地局とを備える移動通信システムでは、基地局が送受信可能な範囲からなるエリア（セル）を複数組み合わせて広いエリアをカバーし、移動局の移動に伴い通信する基地局を切り替えながら通信を継続する、セルラー方式が主流となっている。【０００３】
現在はＣＤＭＡ（Code Division Multiple Access）方式による第３世代移動通信方式がサービスを開始しているが、より高速な通信を可能とする、次世代移動通信方式が盛んに検討されている（例えば、非特許文献１参照）。例えば、３ＧＰＰ（3rd Generation Partnership Project）においては、次世代移動通信方式としてＬＴＥ（Long Term Evolution）が検討されている。【０００４】
移動通信システムにおいては、基地局と移動局とが通信を開始するに当たって、移動局が最初に送信するためのチャネルが用意される。３ＧＰＰにおいては、これをランダムアクセスチャネル（ＲＡＣＨ）と呼び、ＲＡＣＨによる通信開始手順をランダムアクセスと呼ぶ。【０００５】
ＲＡＣＨには、基地局が移動局からの送信を識別するための情報が含まれる。また、ＲＡＣＨは通信開始の際に使用され、以降は個別チャネル（または共有チャネル）が使用されるため、複数の移動局が同時に使用しなければ、移動局同士で共通に使用することができる。そのためＲＡＣＨには、「シグネチャ」と呼ばれる識別子（識別情報）を適用し、これにより基地局がＲＡＣＨで同時に送信してくる複数の移動局間で識別ができるようにしている。【０００６】
ランダムアクセスは、初回送信時、ハンドオーバ時、接続解除後の復帰時等に実行される。初回送信等の場合は、移動局はシグネチャと称される複数のパターン（コード）群の中から（ランダムに）一つを選んで使用する。従って低い確率ではあるが、複数の移動局が同時に同じシグネチャで送信することが起こり得る。ハンドオーバの場合にこのようなシグネチャの衝突が発生すると、接続の瞬断や、場合によっては通信切断となるため、対策としてＬＴＥでは、ハンドオーバする移動局にはあらかじめ、個別のシグネチャを割り当てる方法が想定される。
【非特許文献１】3GPP TS36.300 V8.1.0 (2007-06)
【非特許文献２】Panasonic, Random Access Preamble signatures usage, R2-071143, 3GPP TSG RAN WG2 #57bis 26th-30th March, St Julian's Malta
【発明の開示】
【発明が解決しようとする課題】
【０００７】
前述のようにランダムアクセスチャネルは、シグネチャの適用により複数の移動局が同時に使用できる。例えばＬＴＥにおいては、６ビット（６４通り）のシグネチャが使用できることとなっている。【０００８】
しかし、例えば電車内等、多数の移動局が集まる場所でこれらの移動局が同時にハンドオーバを実行する場合がある。このような場合、使用できるシグネチャの総数を超えてしまい、割り当てるシグネチャが不足し、ハンドオーバの遅延や、通信切断が発生するという問題がある。この対策が非特許文献２で検討されているが、その具体的な実現方法については明記されていない。【０００９】
本発明はこのような点に鑑みてなされたものであり、接続の遅延や切断を防止することができる無線基地局装置、無線移動局装置およびランダムアクセス信号の送信制御方法を提供することを目的とする。
【課題を解決するための手段】
【００１０】
本発明では上記課題を解決するために、無線基地局装置において、ハンドオーバを行う無線移動局装置に対して、該ハンドオーバの先で、ランダムアクセス信号の送信領域として報知される該第１の送信領域とは異なる、第２の送信領域をランダムアクセス信号の送信領域として通知する通知部、を備えることを特徴とする無線基地局装置が提供される。【００１１】
また、本発明では上記課題を解決するために、無線基地局装置において、ハンドオーバを行う無線移動局装置の情報を該無線移動局装置のハンドオーバ元の無線基地局装置から受信する受信部と、ランダムアクセス信号の送信領域として報知する第１の送信領域とは異なる、第２の送信領域を前記ハンドオーバ元の無線基地局装置を介して前記無線移動局装置に通知する通知部と、を備えることを特徴とする無線基地局装置が提供される。【００１２】
また、本発明では上記課題を解決するために、ランダムアクセス信号の送信を行う無線移動局装置において、ハンドオーバ先の無線基地局装置が報知する第１の送信領域とは異なる第２の送信領域の通知をハンドオーバの際に受信する受信部と、通知された該第２の送信領域を用いてランダムアクセス信号の送信を行う送信部と、を備えることを特徴とする無線移動局装置が提供される。【００１３】
また、本発明では上記課題を解決するために、ランダムアクセス信号の送信制御方法において、ハンドオーバを行う無線移動局装置に対して、ハンドオーバ先でランダムアクセス信号の送信領域として報知される第１の送信領域とは異なる、第２の送信領域を通知し、該無線移動局装置が該第２の送信領域を用いて送信したランダムアクセス信号を受信する、ことを特徴とするランダムアクセス信号の送信制御方法が提供される。
【発明の効果】
【００１４】
本発明によれば、ハンドオーバを行う無線移動局装置に対して、報知される第１の送信領域とは異なる第２の送信領域を通知するようにしたので、第２の送信領域を用いて容易、確実に接続を確立することができる。【００１５】
本発明の上記および他の目的、特徴および利点は本発明の例として好ましい実施の形態を表す添付の図面と関連した以下の説明により明らかになるであろう。
【図面の簡単な説明】
【００１６】
【図１】本発明の概要を示す図である。
【図２】実施の形態の移動通信システムを示すブロック図である。
【図３】基地局装置の構成を示すブロック図である。
【図４】移動局装置の構成を示すブロック図である。
【図５】移動通信システムにおけるランダムアクセス信号の送信制御方法を示すシーケンス図である。
【図６】シグネチャ判定処理を示すフローチャートである。
【図７】第２の実施の形態の基地局装置を示すブロック図である。
【図８】第２の実施の形態のハンドオーバ処理を示すフローチャートである。
【発明を実施するための最良の形態】
【００１７】
以下、本発明の実施の形態を、図面を参照して詳細に説明する。
まず、本発明の概要について説明し、その後、実施の形態を説明する。
図１は、本発明の概要を示す図である。【００１８】
図１に示す無線基地局装置１は、ランダムアクセス信号の送信を許容する送信領域情報を報知する報知部４を備えている。従って、この送信領域は、無線基地局装置１のエリア内に存在する移動局装置に対して全体的に報知される。言い換えると、ハンドオーバを行う状態にない移動局装置も、ハンドオーバを行う移動局装置もこの（報知情報）送信領域情報を受信し、この無線基地局装置１に対してランダムアクセス信号を送信する際の送信領域として用いることができる。【００１９】
また、この無線基地局装置１は、ハンドオーバを行う移動局装置２に対して、ハンドオーバ先の無線基地局装置１の報知部４により報知される第１の送信領域とは異なる第２の送信領域を通知する通知部３をも有している。好ましくは、この通知は、ハンドオーバを行う状態にない移動局装置には通知されない。【００２０】
ハンドオーバ先となり得る無線基地局装置の候補が複数存在する場合には、その複数のいずれからもランダムアクセス信号の送信領域として報知されていない送信領域（Ａ）を通知部が通知することもできるし、ハンドオーバ先として決定した１つの無線基地局装置（ｉ）からランダムアクセス信号の送信領域として報知されていない送信領域（Ｂｉ）を通知部が通知することとしてもよい。【００２１】
なお、送信領域は、無線基地局装置１が記憶部に記憶しておくこともできるし、隣接する無線基地局装置から取得することもできる。
送信領域を記憶する場合、送信領域（Ａ）を記憶しておいたり、無線基地局装置（ｉ）に対応させて送信領域（Ｂｉ）を記憶しておき、ハンドオーバ先の無線基地局に対応する送信領域情報を通知するのもできる。【００２２】
また、通知部３は、通知を行う際に、ハンドオーバを行う移動局装置２に対して、第２の送信領域および第１の送信領域を通知することもできる。これにより、移動局装置が選択できる送信で領域の候補が増え、ランダムアクセス信号を分散させることができる。また、通知部３は、所定の条件を満たす場合に、ハンドオーバを行う移動局装置に対して第２の送信領域を通知することとしてもよい。例えば、ハンドオーバ先における第１送信領域においてランダムアクセス信号の輻輳が予期される場合等である。【００２３】
以下、本発明の実施の形態を説明する。
図２は、実施の形態の移動通信システムを示すブロック図である。
移動通信システムは、複数の基地局装置（図２では２つの基地局装置１００、１００ａ）と、複数の移動局装置（図２では２つの移動局装置２００、２００ａ）とを有している。【００２４】
移動局装置２００、２００ａは、例えば携帯電話等の端末機器であり、基地局装置１００、１００ａから送信される信号の受信品質情報（受信レベル（電波の強さの情報）等）を含む測定報告を基地局装置１００、１００ａに定期的に送信または、通信中の基地局装置についての受信品質が閾値以下になった場合に定期的に送信する。【００２５】
基地局装置１００、１００ａは、それぞれ、測定報告に基づいて移動局装置２００、２００ａのハンドオーバが必要か否かを判断する制御部１１０、１１１を備えている。また、基地局装置間のデータの送受信やハンドオーバに関する通信も、この制御部１１０、１１１を介して行う。【００２６】
ここで図２は、移動局装置２００が基地局装置１００の通信エリアから基地局装置１００ａの通信エリアに移行した場合を示している。この場合、基地局装置１００ａ（移動先の基地局装置）が、基地局装置１００（移動元の基地局装置）からの移動局装置２００のハンドオーバ要求を受けることとなる。【００２７】
基地局装置１００ａは、ハンドオーバ要求を受けると、後述するハンドオーバ処理を行うことによって、移動局装置２００からランダムアクセス信号を受信する。
次に、基地局装置１００、１００ａの機能について説明するが、これらの機能は互いに等しいため、代表的に基地局装置１００の機能について説明する。【００２８】
図３は、基地局装置の構成を示すブロック図である。
基地局装置１００は、制御部１１０に加え、スケジューラ１２０と、受信部１３０と、送信部１４０とを有している。【００２９】
制御部１１０は、受信部１３０および送信部１４０を介して移動局装置２００、２００ａとの間でデータの送受信を行う。
この制御部１１０は、シグネチャ管理部（判断部）１１０ａとリソース管理部１１０ｂとを有している。【００３０】
シグネチャ管理部１１０ａは、ハンドオーバ要求を受けると、報知しているランダムアクセス信号の送信領域である第１の送信領域には含まれない第２の送信領域をハンドオーバ元の基地局装置を介して移動局装置に通知する（好ましくは、その移動局装置にだけ通知する）。そして好ましくは、さらに、その第２の送信領域でランダムアクセス信号を送信する際に用いるべきシグネチャ（割り当てたシグネチャ）も同時に通知する。これらの通知は、好ましくは、ハンドオーバ命令に含める。【００３１】
これによれば、ハンドオーバをする移動局装置に対して、利用可能なランダムアクセス信号の送信領域としてハンドオーバ先の無線基地局配下の移動局装置に知らせていない送信領域でランダムアクセス信号を送信させることができるため、通信開始時等にランダムアクセス信号を送信する他の移動局装置との間の競合を避けることができる。【００３２】
また、第２の送信領域の通知は、所定の基準を満たす場合に行い、所定の基準を満たさない場合には、ハンドオーバ要求を受信したとしても、第２の送信領域を通知せず、第１の送信領域を用いたランダムアクセス信号の送信を移動局装置に実行させてもよい。その際、第１の送信領域で送信すべきランダムアクセス信号（割り当てシグネチャ）を通知してもよい。【００３３】
シグネチャ管理部は、割り当てたシグネチャを管理し、割り当てを行ったシグネチャについて割り当て中フラグをセットし、そのフラグがセットされていないシグネチャを空きシグネチャとして管理する。もちろん、ランダムアクセス処理が完了し、シグネチャが不要となった場合は、解放（フラグをリセット）すればよい。【００３４】
そこで、所定の基準としては、シグネチャの割り当て状況を用いることもできる。例えば、シグネチャの総数のＮ％（例えば８５％）が割り当てられている場合は、所定の基準を満たすものと判断するのである。【００３５】
なお、第２の送信領域が移動局装置に通知される場合は、ハンドオーバ先の基地局装置のシグネチャ管理部は、リソース管理部に対して、その第２の送信領域の確保を指示する。即ち、その第２の送信領域は、ランダムアクセス信号の送信領域として用いるべく、それまで許容していた他のユーザデータの送信等の利用を規制し、第２の送信領域を除いてスケジューリングするように、スケジューラに指示する。【００３６】
スケジューラ１２０は、ユーザデータへのリソース割り当てに際して、新たに確保された第２の送信領域にユーザデータを割り当てないようにする。即ち、確保された第２の送信領域が確保される前においては、ランダムアクセス信号の送信を行うための送信領域として確保せず、ユーザデータの送信を行うための領域として使用することもできる。【００３７】
なお、送信部１４０は、スケジューラに入力されたランダムアクセス応答等の制御信号を送信する。データ、制御情報は、基地局装置１００が生成する場合もあるし、他の基地局装置から転送されることもある。【００３８】
従って、送信部１４０は、ランダムアクセス信号の送信領域である送信領域を報知情報として送信するとともに、ハンドオーバを行う特定の移動局装置に対して送信するハンドオーバ命令（制御情報）に、割り当てたシグネチャや、第２送信領域情報を含めて送信する。【００３９】
図４は、移動局装置の構成を示すブロック図である。
移動局装置２００は、受信部２１０と、制御部２２０と、シグネチャ選択部２３０と、リソース選択部２４０と、データ処理部２５０と、送信部２６０とを有している。【００４０】
受信部２１０は、基地局装置１００または基地局装置１００ａからのデータおよび制御情報を受信し、データをデータ処理部２５０に渡し、制御情報を制御部２２０に渡す。
制御部２２０は、受け取った制御情報を送信部２６０に渡す。ここで、ハンドオーバに際して制御情報にランダムアクセス信号として送信すべき割り当てシグネチャ、送信領域が含まれているか否か（基地局装置１００または１００ａ、・・・から、使用するシグネチャ、送信領域が指示されているか否か）を判断し、シグネチャ、送信領域の両方が指示されている場合は、シグネチャ選択部２３０にシグネチャを渡し、リソース選択部２４０に送信領域情報を渡す。シグネチャのみ指示されている場合には、シグネチャ選択部２３０にシグネチャを渡し、リソース選択部２４０に予め通知されているリソース情報（第１の送信領域情報）を渡す。【００４１】
シグネチャ選択部２３０は、所定の関数を備えており、制御部２２０からシグネチャを受け取った場合、そのシグネチャとデータ列を掛け合わせる処理を行い、ランダムアクセス信号を生成する。一方、使用するシグネチャを基地局から指示されなかった場合、ランダムにシグネチャを選択し、ランダムアクセス信号を生成する。【００４２】
リソース選択部２４０は、制御部２２０から第２の送信領域情報を受け取った場合、その第２の送信領域でランダムアクセス信号を送信部２６０に渡す。
データ処理部２５０は、受け取ったデータを処理する。また、基地局装置１００または基地局装置１００ａに送信するデータを送信部２６０に渡す。【００４３】
送信部２６０は、データおよび制御情報を受け取ると、通信中の基地局装置１００に送信する。
なお、第２の送信領域を用いて行うランダムアクセス信号の送信は、ハンドオーバ先の基地局装置に対して行う。【００４４】
このように、移動局装置２００は、ハンドオーバに際して、使用するシグネチャ、第２の送信領域情報が指示されている場合はそれらを用いてランダムアクセスを行う。シグネチャのみ指示されている場合には送信領域は既知のものを用いる。シグネチャも指示されていない場合には、移動局装置２００はランダムに選択したシグネチャを用いてハンドオーバのためのランダムアクセス信号を送信する。【００４５】
図５は、移動通信システムにおけるランダムアクセス信号の送信制御方法を示すシーケンス図である。
基地局装置１００は、移動局装置２００からの受信伝搬環境等の測定報告（ステップＳ１）に基づいてハンドオーバ（ＨＯ）が必要か否かを判定する（ステップＳ２）。【００４６】
そして、ハンドオーバが必要であることを判断すると、基地局装置１００ａに対してハンドオーバ要求を行う（ステップＳ３）。
ハンドオーバ先の基地局装置１００ａは、シグネチャの割り当てを行うが、このときシグネチャ判定処理を行い（ステップＳ４）、第１の送信領域において送信可能なシグネチャが不足する場合には、新たに第２の送信領域を確保し、その第２の送信領域情報とその第２の送信領域で送信すべきシグネチャを選択して基地局装置１００に通知（ハンドオーバ応答）する（ステップＳ５）。ここで、第１の送信領域と第２の送信領域は別個の送信領域であるため、同じシグネチャを第１の送信領域、第２の送信領域の双方で使用されることを許容できる。【００４７】
基地局装置１００は、通知されたシグネチャと第２の送信領域とともに、移動局装置２００に対してハンドオーバを指示（ハンドオーバ命令）する（ステップＳ６）。
この指示は、個別に行われるものであって、報知というよりむしろ通知に該当する。【００４８】
移動局装置２００は、通知されたシグネチャおよび第２の送信領域を用いて基地局装置１００ａへのランダムアクセス信号の送信を行う（ステップＳ７）。
基地局装置１００ａは、ランダムアクセス信号を受信してランダムアクセス応答を送信する（ステップＳ８）。【００４９】
移動局装置２００は、ランダムアクセス応答を受信して、ハンドオーバ確認を行う（ステップＳ９）。以上でハンドオーバを完了する。
次に、ステップＳ４のシグネチャ判定処理について説明する。【００５０】
図６は、シグネチャ判定処理を示すフローチャートである。
まず、基地局装置１００ａは、ハンドオーバ要求を受信すると、報知情報として報知している第１送信領域をランダムアクセス信号の送信領域とする場合に、割り当て可能なシグネチャが存在するか否かを判断する（ステップＳ１１）。【００５１】
割り当て可能なシグネチャが存在する場合（ステップＳ１１のＹｅｓ）、使用するシグネチャを通知する（ステップＳ１２）。
一方、割り当て可能なシグネチャが存在しない場合（ステップＳ１１のＮｏ）、第２送信領域を新たにランダムアクセス信号の送信領域として用意し（ステップＳ１３）、第２送信領域に加えてその第２送信領域で送信を行わせるシグネチャを通知する（ステップＳ１４）。以上でシグネチャ判定処理を終了する。【００５２】
以上説明したように、本実施の形態の移動通信システムによれば、基地局装置１００ａが、シグネチャが不足する場合には別途第２の送信領域を確保し、そのシグネチャを割り当てるとともに、ハンドオーバが生じた移動局装置２００に対して第２の送信領域情報も通知するようにした。これにより、多数の移動局装置が同時にハンドオーバを行い、割り当てるシグネチャが不足したような状況でも新たなＲＡＣＨを用いてランダムアクセスを行うことができるため、接続の遅延や切断の発生を容易に防止することができる。また、移動局装置２００にリソース選択部２４０を設けることにより、移動局装置２００は予め割り当てられた送信領域とは異なる送信領域であっても、その異なる送信領域情報を知ることができる。【００５３】
ところで、電車の移動等に伴う、同時多数のハンドオーバの発生は、移動元基地局装置への多数の測定報告の到着や、移動元あるいは移動先基地局装置自身による測定によりある程度予測することも可能であると考えられる。次に、この特徴を利用した第２の実施の形態の移動通信システムについて説明する。【００５４】
以下、第２の実施の形態の移動通信システムについて、前述した第１の実施の形態との相違点を中心に説明し、同様の事項については、その説明を省略する。
図７は、第２の実施の形態の基地局装置を示すブロック図である。【００５５】
基地局装置３００は、ハンドオーバ予測部１５０を有している。
ハンドオーバ予測部１５０は、他の基地局装置等からの情報等に基づいて、多数のハンドオーバが予測されることを予め検出する機能を備えている。そして、多数のハンドオーバが予測されると、リソース管理部１１０ｂに報知情報によりハンドオーバ先の基地局装置において報知される第１の送信領域と異なる第２の送信領域の確保を指示する。【００５６】
ここで、新たな第２の送信領域の確保を指示する場合のハンドオーバ予測部１５０の基準は、例えば測定報告がランダムアクセス信号の送信に用いられるシグネチャの総数より所定値小さい数なされた場合や、測定報告がランダムアクセス信号の送信に用いられるシグネチャの総数分なされた場合でもよい。【００５７】
リソース管理部１１０ｂは、基準を満たした場合に、ハンドオーバを行う移動局装置に対しては新たに確保した第２の送信領域および選択したいずれかのシグネチャを割り当てる。【００５８】
次に、第２の実施の形態のハンドオーバ処理について説明する。
図８は、第２の実施の形態のハンドオーバ処理を示すフローチャートである。
基地局装置３００のハンドオーバ予測部１５０は、自身の測定結果、またはネットワークを経由して得られた情報に基づいて、同時多数のハンドオーバが発生するか否かを予測する（ステップＳ２１）。そして、同時多数のハンドオーバの発生を予測すると（ステップＳ２１のＹｅｓ）、ハンドオーバを行う移動局装置に対して個別に通知するハンドオーバ専用のＲＡＣＨのリソース（第２送信領域）を確保する（ステップＳ２２）。そして、使用するＲＡＣＨのリソース（第２送信領域）に加えて、その第２送信領域で送信すべきシグネチャを通知する（ステップＳ２３）。【００５９】
一方、同時多数のハンドオーバが発生しないと予測した場合（ステップＳ２１のＮｏ）、ハンドオーバ要求を受信したか否かを判断する（ステップＳ２４）。ハンドオーバ要求を受信していない場合（ステップＳ２４のＮｏ）、ステップＳ２１に移行してステップＳ２１以降の動作を繰り返し行う。【００６０】
一方、ハンドオーバ要求を受信した場合（ステップＳ２４のＹｅｓ）、ステップＳ２５以下の処理を行う。なお、ステップＳ２５〜ステップＳ２８の処理は、それぞれ図６に示すステップＳ１１〜ステップＳ１４の処理と同様であるため説明を省略する。【００６１】
第２の実施の形態の移動通信システムによれば、同時多数のハンドオーバが予測される場合には、基地局装置３００（移動先の基地局装置）は、専用のＲＡＣＨを用意することにより、第１の送信で領域を使って行われる通常のランダムアクセス制御には影響を与えることなく、同時多数のハンドオーバに対しても迅速に対応することが可能となる。【００６２】
以上、本発明の無線基地局装置、無線移動局装置およびランダムアクセス信号の送信制御方法を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。【００６３】
また、本発明は、前述した各実施の形態のうちの、任意の２以上の構成（特徴）を組み合わせたものであってもよい。
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００６４】
１  無線基地局装置
２  移動局装置
３  通知部
４  報知部
１００、１００ａ、３００  基地局装置
１１０、１１１  制御部
１１０ａ  シグネチャ管理部
１１０ｂ  リソース管理部
１２０  スケジューラ
１３０  受信部
１４０  送信部
１５０  ハンドオーバ予測部
２００、２００ａ  移動局装置
２１０  受信部
２２０  制御部
２３０  シグネチャ選択部
２４０  リソース選択部
２５０  データ処理部
２６０  送信部
【図１】
2009022393.tif 000003
【図２】
2009022393.tif 000004
【図３】
2009022393.tif 000005
【図４】
2009022393.tif 000006
【図５】
2009022393.tif 000007
【図６】
2009022393.tif 000008
【図７】
2009022393.tif 000009
【図８】
2009022393.tif 000010
【国際調査報告】
2009022393.tif 000011
2009022393.tif 000012
2009022393.tif 000013
2009022393.tif 000014